(57)【要約】【課題】外付けの分配器を必要とせずに多種多様なチャンネル配列に対応することができるテレビ放送用再送信装置を提供する。【解決手段】入力ポートＰＴ１〜ＰＴ３と、入力ポートＰＴ１〜ＰＴ３に入力された地上波放送信号を分配して１１チャンネル分の地上波放送信号を出力する分配部２００とを備えるテレビ放送用再送信装置であって、分配部２００が、入力ポートＰＴ１〜ＰＴ３に入力された地上波放送信号を８，６，２の各分配数で分配するサブ分配部を入力ポートＰＴ１〜ＰＴ３毎に備え、分配部２００が、前記サブ分配部それぞれから出力される地上波放送信号の中から、分配部２００の出力信号である１１チャンネル分の地上波放送信号を選択するための選択部（リレーＲ１〜Ｒ５）を備えるテレビ放送用再送信装置。【選択図】図２
2010103904.tif 000002
【特許請求の範囲】
【請求項１】
複数の地上波放送信号入力部と、前記複数の地上波放送信号入力部に入力された地上波放送信号を分配して所定のチャンネル数の地上波放送信号を出力する分配部とを備えるテレビ放送用再送信装置であって、
前記分配部が、前記地上波放送信号入力部に入力された地上波放送信号を前記所定のチャンネル数以下の分配数で分配するサブ分配部を前記地上波放送信号入力部毎に備え、
前記サブ分配部それぞれから出力される地上波放送信号の総数が前記所定のチャンネル数より多く、
前記分配部が、前記サブ分配部それぞれから出力される地上波放送信号の中から、前記分配部の出力信号である前記所定のチャンネル数の地上波放送信号を選択するための選択部を備えることを特徴とするテレビ放送用再送信装置。
【請求項２】
前記サブ分配部それぞれが、前記地上波放送信号入力部に入力された地上波放送信号を前記所定のチャンネル数未満の分配数で分配し、
前記複数の地上波放送信号入力部の一つに対応する一つの前記サブ分配部から出力される地上波放送信号の一つと、前記複数の地上波放送信号入力部の別の一つに対応する別の一つの前記サブ分配部から出力される地上波放送信号の一つとを択一的に選択するスイッチを複数備える請求項１に記載のテレビ放送用再送信装置。
【請求項３】
分配補償アンプを前記サブ分配部毎に、前記地上波放送信号入力部と前記サブ分配部との間に設ける請求項１又は請求項２に記載のテレビ放送用再送信装置。
【請求項４】
前記分配部の出力側に、前記所定のチャンネル数の地上波放送信号をチャンネル毎にレベル調整するレベル調整部と、前記レベル調整部から出力されるレベル調整された前記所定のチャンネル数の地上波放送信号を混合する混合部とを設ける請求項１〜３のいずれか１項に記載のテレビ放送用再送信装置。
【発明の詳細な説明】
【技術分野】
【０００１】
本発明は、アンテナで受信したテレビ放送信号を放送チャンネル毎に適正レベルに調整するテレビ放送用再送信装置に関する。
【背景技術】
【０００２】
アンテナで受信した地上波放送信号は、各放送チャンネル間でレベル差が生じている。したがって、集合住宅等のテレビ共同受信システムにおいて、最も受信レベルの高い放送チャンネルにおいて歪みが生じないようにシステムを構築すると、受信レベルの低い放送チャンネルの視聴ができない住戸等が出てくるおそれがある。
【０００３】
このため、テレビ共同受信システムのヘッド側に、地上波放送受信用アンテナで受信したテレビ放送信号を放送チャンネル毎に適正レベルに調整するテレビ放送用再送信装置を設けることが望ましい。
【０００４】
通常、テレビ放送用再送信装置には複数の入力ポートが設けられる。これは、区域外の県域放送の受信を可能とするために広域放送や区域内の県内放送を受信する地上波放送受信用アンテナとは別に区域外の県内放送を受信する地上波放送受信用アンテナを設置する場合があること等を考慮しているためである。
【０００５】
【非特許文献１】“地上デジタル放送用チャンネルレベルコントローラカタログ”、［online］、平成１９年６月、ホーチキ株式会社、［平成２０年９月２２日検索］、インターネット＜ＵＲＬ：http://www.hochiki.co.jp/business/comm/webcatalog/pdf/hc_clc_0708.pdf＞
【発明の開示】
【発明が解決しようとする課題】
【０００６】
しかしながら、非特許文献１の［仕様例］欄に記載されている通り、各入力ポートの受信チャンネル数がテレビ放送用再送信装置の設置地域によって変わるため、テレビ放送用再送信装置の仕様を一意に決めることができず、一般的に、各入力ポートの後段に設けられる分配部の構成を設置地域に応じて決定する受注生産にて対応していた。
【０００７】
また、受注生産を避けるため、テレビ放送用再送信装置の入力ポートを地上波放送受信用アンテナ毎ではなくチャンネル毎に設け、すなわち、想定される最大チャンネル数（例えば、１１チャンネル分）だけ入力ポートを設け、テレビ放送用再送信装置の仕様を一意にする対応が採られることもある。しかし、テレビ放送用再送信装置の入力ポートをチャンネル毎に設けた場合、テレビ放送用再送信装置の大量生産が可能になるという利点がある反面、テレビ放送用再送信装置自体を設置する以外に、設置地域に応じたチャンネル配列を実現するための分配器をテレビ放送用再送信装置の前段に設置する必要が生じ、設置業者の負担が増すという問題が生じる。
【０００８】
本発明は、上記の状況に鑑み、外付けの分配器を必要とせずに多種多様なチャンネル配列に対応することができるテレビ放送用再送信装置を提供することを目的とする。
【課題を解決するための手段】
【０００９】
上記目的を達成するために本発明に係るテレビ放送用再送信装置は、複数の地上波放送信号入力部と、前記複数の地上波放送信号入力部に入力された地上波放送信号を分配して所定のチャンネル数の地上波放送信号を出力する分配部とを備えるテレビ放送用再送信装置であって、前記分配部が、前記地上波放送信号入力部に入力された地上波放送信号を前記所定のチャンネル数以下の分配数で分配するサブ分配部を前記地上波放送信号入力部毎に備え、前記サブ分配部それぞれから出力される地上波放送信号の総数が前記所定のチャンネル数より多く、前記分配部が、前記サブ分配部それぞれから出力される地上波放送信号の中から、前記分配部の出力信号である前記所定のチャンネル数の地上波放送信号を選択するための選択部を備える構成とする。
【００１０】
このような構成によると、選択部の選択により複数通りのチャンネル配列が可能となる。したがって、設置地域に応じたチャンネル配列を実現するための分配器を本発明に係るテレビ放送用再送信装置の前段に設置することなく、多種多様なチャンネル配列に対応することができる。設置地域に応じたチャンネル配列を実現するための分配器を本発明に係るテレビ放送用再送信装置の前段に設置する必要がなくなるので、設置業者の負担を低減することができる。
【００１１】
また、前記サブ分配部それぞれが、前記地上波放送信号入力部に入力された地上波放送信号を前記所定のチャンネル数未満の分配数で分配し、前記複数の地上波放送信号入力部の一つに対応する一つの前記サブ分配部から出力される地上波放送信号の一つと、前記複数の地上波放送信号入力部の別の一つに対応する別の一つの前記サブ分配部から出力される地上波放送信号の一つとを択一的に選択するスイッチを複数備えるようにしてもよい。
【００１２】
このような構成によると、サブ分配部及び選択部の構成を簡素化することができる。
【００１３】
また、分配補償アンプを前記サブ分配部毎に、前記地上波放送信号入力部と前記サブ分配部との間に設けてもよい。
【００１４】
このような構成によると、分配補償アンプを本発明に係るテレビ放送用再送信装置の前段に設置する必要がなくなるので、設置業者の負担をより一層低減することができる。
【００１５】
また、前記分配部の出力側に、前記所定のチャンネル数の地上波放送信号をチャンネル毎にレベル調整するレベル調整部と、前記レベル調整部から出力されるレベル調整された前記所定のチャンネル数の地上波放送信号を混合する混合部とを設けてもよい。
【発明の効果】
【００１６】
本発明に係るテレビ放送用再送信装置の構成によると、選択部の選択により複数通りのチャンネル配列が可能となるので、設置地域に応じたチャンネル配列を実現するための分配器を本発明に係るテレビ放送用再送信装置の前段に設置することなく、多種多様なチャンネル配列に対応することができる。
【発明を実施するための最良の形態】
【００１７】
＜第１実施形態＞
本発明の実施形態について図面を参照して以下に説明する。本発明の第１実施形態に係るテレビ放送用再送信装置をテレビ共同受信システムのヘッド側に設置し使用する場合の構成例を図１に示す。本発明の第１実施形態に係るテレビ放送用再送信装置１００は、３つの入力ポートＰＴ１〜ＰＴ３と、出力ポートＰＴ４と、ＡＣプラグＰ１とを備えており、入力ポートＰＴ１に地上波放送受信用アンテナであるＵＨＦアンテナ１０１が接続され、入力ポートＰＴ２に地上波放送受信用アンテナであるＵＨＦアンテナ１０２が接続され、出力ポートＰＴ４とＵＨＦ・ＢＳ／ＣＳ用混合器１０３のＵＨＦ入力ポートとが接続され、ＡＣプラグＰ１が図示していない商用電源コンセントに接続される。なお、入力ポートＰＴ３は通常空きポートとなっている。
【００１８】
本発明の第１実施形態に係るテレビ放送用再送信装置１００は、ＡＣプラグＰ１から入力されるＡＣ電力によって駆動し、ＵＨＦアンテナ１０１及び１０２で受信した地上波放送信号を放送チャンネル毎に適正レベルに調整し、そのレベル調整後の地上波放送信号をＵＨＦ・ＢＳ／ＣＳ用混合器１０３に送出する。
【００１９】
ＵＨＦ・ＢＳ／ＣＳ用混合器１０３は、ＢＳ／ＣＳ入力ポートに衛星放送受信用アンテナであるＢＳ／ＣＳアンテナ１０４が接続されており、ＵＨＦ入力ポートに入力される地上波放送信号とＢＳ／ＣＳ入力ポートに入力される衛星放送信号とを混合し、そのＵＨＦ・ＢＳ／ＣＳ混合信号をブースタ１０５に送出する。
【００２０】
また、ＵＨＦ・ＢＳ／ＣＳ用混合器１０３は、出力ポート−ＢＳ／ＣＳ入力ポート間のＤＣ１５Ｖ通電機能を有しており、ブースタ１０５の入力側より重畳されるＤＣ１５Ｖ電力をＢＳ／ＣＳアンテナ１０４に供給している。ＵＨＦ・ＢＳ／ＣＳ用混合器１０３が供給するＤＣ１５Ｖ電力によって、ＢＳ／ＣＳアンテナ１０４の図示していないＬＮＢ（Low Noise Block Converter）が駆動する。
【００２１】
テレビ共同受信システムは、集合住宅等の受信施設であって、ヘッド側に設置されたＵＨＦアンテナ１０１及び１０２、ＢＳ／ＣＳアンテナ１０４、並びに本発明の第１実施形態に係るテレビ放送用再送信装置１００の他に、本発明の第１実施形態に係るテレビ放送用再送信装置１００から出力された地上波放送信号とＢＳ／ＣＳアンテナ１０４から出力された衛星放送信号とを混合するＵＨＦ・ＢＳ／ＣＳ用混合器１０３と、ＵＨＦ・ＢＳ／ＣＳ用混合器１０３から出力される放送信号（ＵＨＦ・ＢＳ／ＣＳ混合信号）を増幅するブースタ１０５と、ブースタ１０５の出力を各住戸等に分配するための分配器１０６〜１０８とを備えている。なお、ブースタ１０５は、入力側からＤＣ１５Ｖ電力を重畳するＤＣ１５Ｖ通電機能を有している。
【００２２】
次に、本発明の第１実施形態に係るテレビ放送用再送信装置１００の内部構成を図２に示す。本発明の第１実施形態に係るテレビ放送用再送信装置１００は、３入力１１出力の分配部２００と、互いに地上波放送の別個のチャンネルを適正レベルに調整する１１個のチャンネルレベル調整部２０１〜２１１と、適正レベルに調整された各チャンネルの地上波放送信号を混合する混合器２１２と、混合器２１２と出力ポートＰＴ４との間に設けられるコンデンサと、ＡＣプラグＰ１から入力されるＡＣ電力を所定電圧値のＤＣ電力に変換してテレビ放送用再送信装置内の必要な各部に供給する電源部２１３とを備え、１１チャンネルに対応している。
【００２３】
分配部２００は、入力ポートＰＴ１に入力された地上波放送信号をコンデンサを介して入力し、その入力した地上波放送信号を８分配補償するように増幅し、その増幅した地上波放送信号をコンデンサを介して出力する分配補償アンプＡＭＰ１と、分配補償アンプＡＭＰ１の出力信号を８分配する二分配器１〜７からなるサブ分配部と、分配補償アンプＡＭＰ１の出力信号を８分配した各分配信号をそれぞれ減衰する減衰器Ａ１〜Ａ８とを備えている。
【００２４】
また、分配部２００は、入力ポートＰＴ２に送出された地上波放送信号をコンデンサを介して入力し、その入力した地上波放送信号を６分配補償するように増幅し、その増幅した地上波放送信号をコンデンサを介して出力する分配補償アンプＡＭＰ２と、分配補償アンプＡＭＰ２の出力信号を６分配する二分配器８〜１２からなるサブ分配部と、分配補償アンプＡＭＰ２の出力信号を６分配した各分配信号をそれぞれ減衰する減衰器Ａ９〜Ａ１４とを備えている。
【００２５】
また、分配部２００は、入力ポートＰＴ３に送出された地上波放送信号をコンデンサを介して入力し、その入力した地上波放送信号を２分配補償するように増幅し、その増幅した地上波放送信号をコンデンサを介して出力する分配補償アンプＡＭＰ３と、分配補償アンプＡＭＰ３の出力信号を２分配する二分配器１３からなるサブ分配部と、分配補償アンプＡＭＰ３の出力信号を２分配した各分配信号をそれぞれ減衰する減衰器Ａ１５及びＡ１６とを備えている。
【００２６】
また、分配部２００は、減衰器Ａ５から出力される地上波放送信号と減衰器Ａ９から出力される地上波放送信号とを択一的に選択する２極信号切換用リレーＲ１と、減衰器Ａ６から出力される地上波放送信号と減衰器Ａ１０から出力される地上波放送信号とを択一的に選択する２極信号切換用リレーＲ２と、減衰器Ａ７から出力される地上波放送信号と減衰器Ａ１１から出力される地上波放送信号とを択一的に選択する２極信号切換用リレーＲ３と、減衰器Ａ８から出力される地上波放送信号と減衰器Ａ１２から出力される地上波放送信号とを択一的に選択する２極信号切換用リレーＲ４と、減衰器Ａ１４から出力される地上波放送信号と減衰器Ａ１５から出力される地上波放送信号とを択一的に選択する２極信号切換用リレーＲ５と、チャンネル配列設定用スイッチＳ１〜Ｓ３と、スイッチＳ１〜Ｓ３の出力に応じて２極信号切換用リレーＲ１〜Ｒ５を制御するＣＰＵ（Central Processing Unit）Ｃ１とを備えている。尚、チャンネル配列設定用スイッチＳ１〜Ｓ３は、全体として、１０通りの設定が可能であるようにする。
【００２７】
さらに、分配部２００は、減衰器Ａ１から出力される地上波放送信号をチャンネルレベル調整部２０１に送出する出力端子ＯＵＴ１と、減衰器Ａ２から出力される地上波放送信号をチャンネルレベル調整部２０２に送出する出力端子ＯＵＴ２と、減衰器Ａ３から出力される地上波放送信号をチャンネルレベル調整部２０３に送出する出力端子ＯＵＴ３と、減衰器Ａ４から出力される地上波放送信号をチャンネルレベル調整部２０４に送出する出力端子ＯＵＴ４と、２極信号切換用リレーＲ１から出力される地上波放送信号をチャンネルレベル調整部２０５に送出する出力端子ＯＵＴ５と、２極信号切換用リレーＲ２から出力される地上波放送信号をチャンネルレベル調整部２０６に送出する出力端子ＯＵＴ６と、２極信号切換用リレーＲ３から出力される地上波放送信号をチャンネルレベル調整部２０７に送出する出力端子ＯＵＴ７と、２極信号切換用リレーＲ４から出力される地上波放送信号をチャンネルレベル調整部２０８に送出する出力端子ＯＵＴ８と、減衰器Ａ１３から出力される地上波放送信号をチャンネルレベル調整部２０９に送出する出力端子ＯＵＴ９と、２極信号切換用リレーＲ５から出力される地上波放送信号をチャンネルレベル調整部２１０に送出する出力端子ＯＵＴ１０と、減衰器Ａ１６から出力される地上波放送信号をチャンネルレベル調整部２１１に送出する出力端子ＯＵＴ１１とを備えている。
【００２８】
上述した構成の分配部２００によると、図３に示すように、１０通りのチャンネル配列が可能となる。したがって、設置地域に応じたチャンネル配列を実現するための分配器を本発明の第１実施形態に係るテレビ放送用再送信装置１００の前段に設置することなく、多種多様なチャンネル配列に対応することができる。また、本発明の第１実施形態に係るテレビ放送用再送信装置１００が、分配補償アンプＡＭＰ１〜ＡＭＰ３を内蔵しているので、分配補償アンプを本発明の第１実施形態に係るテレビ放送用再送信装置１００の前段に設置する必要がなくなる。
【００２９】
続いて、分配部２００の後段に設けられるチャンネル調整部２０１〜２１１の構成例について図４を参照して説明する。
【００３０】
チャンネルレベル調整部２０１〜２１１はそれぞれ、分配部２００側から順に、コンデンサ１４と、ＵＨＦ帯の信号を通過させるバンドパスフィルタ１５と、利得制御部１６と、増幅器１７と、高周波ノイズをカットするローパスフィルタ１８と、ローパスフィルタ１８から出力される地上波放送信号（ＵＨＦ帯の信号）を第１中間周波信号に変換するアップコンバート用ミキサ１９と、第１中間周波帯域の信号を通過させるＳＡＷ（Surface Acoustic Wave）フィルタ２０と、増幅器２１と、増幅器２１から出力される第１中間周波信号を第２中間周波信号に変換するダウンコンバート用ミキサ２２と、第２中間周波帯域（５７ＭＨｚ帯域）の信号を通過させるＳＡＷフィルタ２３と、分岐器２４と、増幅器２５と、第２中間周波帯域の信号を通過させるＳＡＷフィルタ２６と、ＳＡＷフィルタ２６から出力される第２中間周波信号を第１中間周波信号に変換するアップコンバート用ミキサ２７と、第１中間周波帯域の信号を通過させるＳＡＷフィルタ２８と、増幅器２９と、増幅器２９から出力される第１中間周波信号を地上波放送信号（ＵＨＦ帯の信号）に変換するダウンコンバート用ミキサ３０と、利得制御器３１と、増幅器３２と、ＵＨＦ帯の信号を通過させるバンドパスフィルタ３３と、コンデンサ３４とを備えている。
【００３１】
また、チャンネルレベル調整部２０１〜２１１はそれぞれ、分岐器２４からの信号を検波する検波器３５を備えており、検波器３５の検波結果に応じて利得制御部１６が利得を調整する。すなわち、検波器３５及び利得制御部１６がＡＧＣ（Automatic Gain Control）回路として機能する。利得制御器３１の利得は、チャンネルレベル調整部２０１〜２１１全てで同一であり、地上波放送信号の各チャンネルのレベルは、上記ＡＧＣ回路によって揃えられたのち、利得制御器３１によって適正レベルに調整される。
【００３２】
さらに、チャンネルレベル調整部２０１〜２１１はそれぞれ、チャンネル選択用スイッチ３６と、ＣＰＵ３７と、ＰＬＬ（Phase Locked Loop）回路３８及び４０と、基準電圧源３９とを備えている。チャンネル選択用スイッチ３６のスイッチングによりチャンネルが選択され、ＣＰＵ３７はチャンネル選択用スイッチ３６のチャンネル選択結果に応じた制御信号をＰＬＬ回路３８及び４０に送出する。ＰＬＬ回路３８及び４０はそれぞれ、電圧制御発振器と、ＣＰＵ３７からの制御信号に応じた分周比が設定され電圧制御発振器の出力（局部発振信号）を分周する第１の分周器と、ＣＰＵ３７からの制御信号に応じた分周比が設定され基準電圧源３９の出力を分周する第２の分周器と、第１の分周器の出力と第２の分周器の出力を比較して誤差信号を出力するコンパレータと、コンパレータから出力される誤差信号を直流電圧信号に変換してその直流電圧信号によって電圧制御発振器を制御するループフィルタとを備えている。なお、ＰＬＬ回路３８の局部発振信号は、アップコンバート用ミキサ１９及びダウンコンバート用ミキサ３０に送出され、ＵＨＦ帯の信号から第１中間周波信号へのアップコンバート及び第１の中間周波信号からＵＨＦ帯の信号へのダウンコンバートに用いられ、ＰＬＬ回路４０の局部発振信号は、ダウンコンバート用ミキサ２２及びアップコンバート用ミキサ２７に送出され、第１中間周波信号から第２中間周波信号へのダウンコンバート及び第２の中間周波信号から第１中間周波信号へのアップコンバートに用いられる。
【００３３】
＜第２実施形態＞
次に、本発明の第２実施形態に係るテレビ放送用再送信装置をテレビ共同受信システムのヘッド側に設置して使用する場合の構成例を図５に示す。尚、図５において図１と同一の部分には同一の符号を付し詳細な説明を省略する。本発明の第２実施形態に係るテレビ放送用再送信装置１００’は、本発明の第１実施形態に係るテレビ放送用再送信装置１００と異なり、入力ポートを２個とする構成である。
【００３４】
次に、本発明の第２実施形態に係るテレビ放送用再送信装置１００’の内部構成を図６に示す。尚、図６において図２と同一の部分には同一の符号を付し詳細な説明を省略する。
【００３５】
本発明の第２実施形態に係るテレビ放送用再送信装置１００’は、２入力８出力の分配部２００’と、互いに地上波放送の別個のチャンネルを適正レベルに調整する８個のチャンネルレベル調整部２０１〜２０８と、適正レベルに調整された各チャンネルの地上波放送信号を混合する混合器２１２と、混合器２１２と出力ポートＰＴ４との間に設けられるコンデンサと、ＡＣプラグＰ１から入力されるＡＣ電力を所定電圧値のＤＣ電力に変換してテレビ放送用再送信装置内の必要な各部に供給する電源部２１３とを備え、８チャンネルに対応している。
【００３６】
分配部２００’は、本発明の第１実施形態に係るテレビ放送用再送信装置１００が具備する分配部２００から、二分配器１０及び１２と、減衰器Ａ１３及びＡ１４と、分配補償アンプＡＭＰ３と、分配補償アンプＡＭＰ３の前段のコンデンサと、分配補償アンプＡＭＰ３の後段のコンデンサと、二分配器１３と、減衰器Ａ１５及びＡ１６とを取り除き、二分配器８の一方の出力を二分配器１１の入力に直接接続した構成である。尚、チャンネル配列設定用スイッチＳ１〜Ｓ３は、全体として、５通りの設定が可能であるようにする。
【００３７】
上述した構成の分配部２００’によると、図７に示すように、５通りのチャンネル配列が可能となる。したがって、設置地域に応じたチャンネル配列を実現するための分配器を本発明の第２実施形態に係るテレビ放送用再送信装置１００’の前段に設置することなく、多種多様なチャンネル配列に対応することができる。また、本発明の第２実施形態に係るテレビ放送用再送信装置１００’が、分配補償アンプＡＭＰ１及びＡＭＰ２を内蔵しているので、分配補償アンプを本発明の第２実施形態に係るテレビ放送用再送信装置１００’の前段に設置する必要がなくなる。
【００３８】
＜変形例＞
上述した本発明の第１及び第２実施形態に係るテレビ放送用再送信装置において、分配部内のＣＰＵが分配部内の分配補償アンプの通電制御を行うようにし、地上波放送受信用アンテナが接続されていない入力ポートの後段に設けられている分配補償アンプには通電しないようにしてもよい。
【００３９】
また、上述した本発明の第１及び第２実施形態に係るテレビ放送用再送信装置と地上波放送受信用アンテナとの間にプリアンプを設ける場合があるので、上述した本発明の第１及び第２実施形態に係るテレビ放送用再送信装置の入力ポートと分配部との間に、入力ポート毎に、通電端子と、当該通電端子と信号伝送ラインとを接続するインダクタとを設け、電源部２１３から所定のＤＣ電圧を当該通電端子に供給して、上記プリアンプにＤＣ電源を供給するようにしてもよい。
【００４０】
また、上述した本発明の第１及び第２実施形態に係るテレビ放送用再送信装置では、各入力ポートに入力された地上波放送信号の分配数を分配部の出力数未満としているが、各入力ポートに入力された地上波放送信号の分配数を分配部の出力数と一致させ、入力ポートと入力ポートに入力された地上波放送信号を分配した信号とのマトリクス（例えば、入力ポート数が３であり分配部の出力数１１である場合３×１１のマトリクス）から任意に分配部の出力を選択するようにしてもよい。
【図面の簡単な説明】
【００４１】
【図１】は、本発明の第１実施形態に係るテレビ放送用再送信装置をテレビ共同受信システムのヘッド側に設置した場合の構成例を示す図である。
【図２】は、本発明の第１実施形態に係るテレビ放送用再送信装置の内部構成を示す図である。
【図３】は、本発明の第１実施形態に係るテレビ放送用再送信装置のチャンネル配列を示す図である。
【図４】は、チャンネルレベル調整部の構成例を示す図である。
【図５】は、本発明の第２実施形態に係るテレビ放送用再送信装置をテレビ共同受信システムのヘッド側に設置した場合の構成例を示す図である。
【図６】は、本発明の第２実施形態に係るテレビ放送用再送信装置の内部構成を示す図である。
【図７】は、本発明の第２実施形態に係るテレビ放送用再送信装置のチャンネル配列を示す図である。
【符号の説明】
【００４２】
１〜１３  二分配器
１４、３４  コンデンサ
１５、３３  バンドパスフィルタ
１６、３１  利得制御部
１７、２１、２５、２９、３２  増幅器
１８  ローパスフィルタ
１９、２７  アップコンバート用ミキサ
２０、２３、２６、２８  ＳＡＷフィルタ
２２、３０  ダウンコンバート用ミキサ
２４  分岐器
３５  検波器
３６  チャンネル選択用スイッチ
３７  ＣＰＵ
３８、４０  ＰＬＬ回路
３９  基準電圧源
１００  本発明の第１実施形態に係るテレビ放送用再送信装置
１００’  本発明の第２実施形態に係るテレビ放送用再送信装置
１０１、１０２  ＵＨＦアンテナ
１０３  ＵＨＦ・ＢＳ／ＣＳ用混合器
１０４  ＢＳ／ＣＳアンテナ
１０５  ブースタ
１０６〜１０８  分配器
２００  分配部
２０１〜２１１  チャンネルレベル調整部
２１２  混合器
２１３  電源部
Ａ１〜Ａ１６  減衰器
ＡＭＰ１〜ＡＭＰ３  分配補償アンプ
Ｃ１  ＣＰＵ
ＯＵＴ１〜ＯＵＴ１１  出力端子
Ｒ１〜Ｒ４  ２極信号切換用リレー
Ｓ１〜Ｓ３  チャンネル配列設定用スイッチ
Ｐ１  ＡＣプラグ
ＰＴ１〜ＰＴ３  入力ポート
ＰＴ４  出力ポート
【図１】
2010103904.tif 000003
【図２】
2010103904.tif 000004
【図３】
2010103904.tif 000005
【図４】
2010103904.tif 000006
【図５】
2010103904.tif 000007
【図６】
2010103904.tif 000008
【図７】
2010103904.tif 000009